(57)【要約】【課題】異なる記録再生ユニットで回路基板の共用化が可能な構成により、記録再生装置の製造に掛かる工程の簡略化とコスト低減を実現する。【解決手段】ＤＶＤ／ＶＴＲ一体型ＴＶ１０において、ＤＶＤユニット１８とＶＴＲユニット１１０とが相互に干渉しないように取り付けられる隔離板の取付孔１２ｅ及び１２ｆと、ＶＴＲユニット１１０を３点支持するＶＴＲユニット取付脚部の内２つ（１２ｇ１、１２ｈ１）による４点を、ＤＶＤ−ＲＷ一体型ＴＶ２０として構成する際のＤＶＤ−ＲＷユニット支持板２５の取付孔とすることで、２種類の記録再生装置の構成の大部分を共通化することができる。【選択図】図６
2007323717.tif 000002
【特許請求の範囲】
【請求項１】
記録媒体による記録再生を行う第１のユニットと、前記第１のユニットとは異なる記録媒体による記録再生を行う第２のユニットを備え、それぞれのユニットに対応する記録媒体の挿入口及び操作部を有するキャビネットを備える記録再生装置の第１のモデルと、
記録媒体による記録再生を行う第３のユニットを備え、該第３のユニットに対応する記録媒体の挿入口及び操作部を有するキャビネットを備える記録再生装置の第２のモデルにおいて、
第１のモデル及び第２のモデルは少なくとも、複数のボタンからなる操作部と、前記操作部や各ユニットの制御及び映像音声処理を行うメイン回路基板と、
前記第１ユニット及び第２のユニット、又は前記第３のユニットと前記操作部と、前記メイン回路基板とに電源を供給する電源部と、
前記第１ユニット及び第２のユニット、又は前記第３のユニットと前記操作部と、前記メイン回路基板と、前記電源部を搭載するシャーシとで構成され、
それぞれのモデルにおいて、前記操作部、前記メイン回路基板、前記電源部及び前記シャーシは同一であり、
前記第１のユニット及び前記第２のユニットとそれぞれを取り付けるための取付孔の一部若しくは全部を、前記第３のユニットの取付孔として用いることができるよう、取付孔を位置決めしたことを特徴とする異なる記録再生ユニットで回路基板の共用化が可能な電子機器。
【請求項２】
前記メイン回路基板は、前記第１のモデルと前記第２のモデルとのそれぞれに対応する２種類の前記操作部の動作を制御可能とし、前記操作部の動作の切り替えは、前記メイン回路基板に備える操作部動作切替手段により行うことを特徴とする請求項１記載の異なる記録再生ユニットで回路基板の共用化が可能な電子機器。
【発明の詳細な説明】
【技術分野】
【０００１】
本発明は、異なるユニットを搭載する２種類のモデルの記録再生装置において、前記異なるユニット以外の部品を共通化することで、その製造コストを削減し、製造工程を簡略化することが可能となる異なる記録再生ユニットで回路基板の共用化が可能な電子機器に関する。
【背景技術】
【０００２】
従来、複数の異なる機能を持った記録再生装置を、複数の製品モデルとしてユーザに提供することが行われている。その際、異なるモデルの製造において、構成する部品の共通化を図り、製造工程の減少及び製造コストの低下を目的とする多数の方法が開示されている。
【０００３】
例えば、特許文献１では、１つのベース基板に動作の異なる複数のモジュール基板を取り付けることで複数の製品に対応し、ベース基板及びベース基板の取り付け方法等を共通化することにより、複数製品における部品点数の削減を実現する方法が開示されている。
【０００４】
また、特許文献２では、課金放送受信可能なデジタル回路基板と、課金放送受信不可能なデジタル回路基板の、それぞれに共通して利用可能なＡＶ（Ａｕｄｉｏ  Ｖｉｓｕａｌ）基板により、複数種類のＡＶ基板を必要とせずにコストを削減する方法が開示されている。
【０００５】
【特許文献１】特開２００３−３３８６７４号公報
【特許文献２】特開２００６−１２９１６７号公報
【発明の開示】
【発明が解決しようとする課題】
【０００６】
しかしながら、特許文献１の方法及び特許文献２の何れの方法においても、複数の製品において共通する回路基板により製造コストの低下を実現するとあるが、複数の製品において製品固有の回路基板を必要とするものである。
【０００７】
本発明は上記課題を鑑みてなされたものであり、記録再生装置の２つのモデルにおいて共通の回路基板を用いることが可能であり、工程及びコストの増加押さえて製造することができる異なる記録再生ユニットで回路基板の共用化が可能な電子機器を提供することを目的とする。
【課題を解決するための手段】
【０００８】
請求項１に係る異なる記録再生ユニットで回路基板の共用化が可能な電子機器は、記録媒体による記録再生を行う第１のユニットと、前記第１のユニットとは異なる記録媒体による記録再生を行う第２のユニットを備え、それぞれのユニットに対応する記録媒体の挿入口及び操作部を有するキャビネットを備える記録再生装置の第１のモデルと、
記録媒体による記録再生を行う第３のユニットを備え、該第３のユニットに対応する記録媒体の挿入口及び操作部を有するキャビネットを備える記録再生装置の第２のモデルにおいて、
第１のモデル及び第２のモデルは少なくとも、複数のボタンからなる操作部と、前記操作部や各ユニットの制御及び映像音声処理を行うメイン回路基板と、
前記第１ユニット及び第２のユニット、又は前記第３のユニットと前記操作部と、前記メイン回路基板とに電源を供給する電源部と、
前記第１ユニット及び第２のユニット、又は前記第３のユニットと前記操作部と、前記メイン回路基板と、前記電源部を搭載するシャーシとで構成され、
それぞれのモデルにおいて、前記操作部、前記メイン回路基板及び前記電源部は同一であり、
前記第１のユニット及び前記第２のユニットとそれぞれを取り付けるための取付孔の一部若しくは全部を、前記第３のユニットの取付孔として用いることができるよう、取付孔を位置決めしたことを特徴とする。
【０００９】
請求項１の構成によれば、第１のユニット及び第２のユニットにより記録再生を行う記録再生装置の第１のモデルと、第３のユニットにより記録再生を行う記録再生装置の第２のモデルの双方において、操作部、メイン基板、電源部、シャーシが同一である共通部品とし、更に前記第１のユニット及び第２のユニットを取り付ける取付孔を、前記第３のユニットを取り付ける取付孔を一部若しくは全部を共通とすることができる。
【００１０】
請求項２に係るは異なる記録再生ユニットで回路基板の共用化が可能な電子機器、請求項１記載の異なる記録再生ユニットで回路基板の共用化が可能な電子機器において、前記メイン回路基板は、前記第１のモデルと前記第２のモデルとのそれぞれに対応する２種類の前記操作部の動作を制御可能とし、前記操作部の動作の切り替えは、前記メイン回路基板に備える操作部動作切替手段により行うことを特徴とする。
【００１１】
請求項２の構成によれば、第１のモデルにおいて２つのユニットを操作するためのボタンは、第２のモデルにおいては不要であるため、他の動作をするためのボタンとして使用することができるよう、２パターンの動作ができるよう操作部を構成し、それぞれの場合において、操作部動作切替手段により操作部の動作パターンを変更することができる。
【発明の効果】
【００１２】
請求項１に係る異なる記録再生ユニットで回路基板の共用化が可能な電子機器は、記録媒体による記録再生を行う第１のユニットと、前記第１のユニットとは異なる記録媒体による記録再生を行う第２のユニットを備え、それぞれのユニットに対応する記録媒体の挿入口及び操作部を有するキャビネットを備える記録再生装置の第１のモデルと、
記録媒体による記録再生を行う第３のユニットを備え、該第３のユニットに対応する記録媒体の挿入口及び操作部を有するキャビネットを備える記録再生装置の第２のモデルにおいて、
第１のモデル及び第２のモデルは少なくとも、複数のボタンからなる操作部と、前記操作部や各ユニットの制御及び映像音声処理を行うメイン回路基板と、
前記第１ユニット及び第２のユニット、又は前記第３のユニットと前記操作部と、前記メイン回路基板とに電源を供給する電源部と、
前記第１ユニット及び第２のユニット、又は前記第３のユニットと前記操作部と、前記メイン回路基板と、前記電源部を搭載するシャーシとで構成され、
それぞれのモデルにおいて、前記操作部、前記メイン回路基板及び前記電源部は同一であり、
前記第１のユニット及び前記第２のユニットとそれぞれを取り付けるための取付孔の一部若しくは全部を、前記第３のユニットの取付孔として用いることができるよう、取付孔を位置決めしたので、第１のモデルと第２のモデルとで、異なる部品を最小限に押させることができ、製造コストの削減と、２モデルの記録再生装置の製造の大部分を１つの工程により行うことができ、製造工程の簡略化を図ることができる。
【００１３】
請求項２に係るは異なる記録再生ユニットで回路基板の共用化が可能な電子機器、請求項１記載の異なる記録再生ユニットで回路基板の共用化が可能な電子機器において、前記メイン回路基板は、前記第１のモデルと前記第２のモデルとのそれぞれに対応する２種類の前記操作部の動作を制御可能とし、前記操作部の動作の切り替えは、前記メイン回路基板に備える操作部動作切替手段により行い、２種類の操作部を備えるので、２つのモデルにおいて操作部の構成を変える必要がある場合においても、操作部動作切替手段により操作部の動作パターンを切り替えることができるので、個々のモデルにおいて操作部を別途構成する必要がなく、製造コストの削減と製造工程の簡略化を図ることができる。
【発明を実施するための最良の形態】
【００１４】
以下、本発明を実施するための最良の形態としての実施例を図１から図１２を参照して説明する。もちろん、本発明は、その発明の趣旨に反さない範囲で、実施例において説明した以外のものに対しても容易に適用可能なことは説明を要するまでもない。
【００１５】
図１〜図７は、本発明の実施例における記録再生装置の一モデルであるＤＶＤ再生ユニットとＶＴＲ再生ユニットを搭載した表示装置一体型再生装置（以下、ＤＶＤ／ＶＴＲ一体型ＴＶと呼ぶ）を示しており、図１は、ＤＶＤ／ＶＴＲ一体型ＴＶの正面図である。図２はＤＶＤ／ＶＴＲ一体型ＴＶのシャーシを示す平面図である。図３は、図２に示すシャーシにＤＶＤユニットとＶＴＲユニットの相互干渉を防ぐための隔離板を取り付けた状態を示す平面図である。図４は図３に示すシャーシに、ＤＶＤユニットを取り付けるための支持板を取り付け、更にＤＶＤユニットの操作に関する操作基板を取り付けた状態を示す平面図である。図５は、図４に示すシャーシにＤＶＤユニット、メイン回路基板、及び電源部を取り付けた状態を示している。図６は、図５に示すシャーシにＶＴＲユニットを取り付けた状態を示している。図７は、図６に示すシャーシを備えるＤＶＤ／ＶＴＲ一体型ＴＶの正面図であり、ボタンカバーを開放した状態を示している。
【００１６】
図８〜１２は、本発明の実施例における記録再生装置の一モデルであるＤＶＤ−ＲＷ再生ユニットを搭載した表示装置一体型記録再生装置（以下、ＤＶＤ−ＲＷ一体型ＴＶと呼ぶ）を示しており、図８はＤＶＤ−ＲＷ一体型ＴＶの正面図である。図９は、図２に示すシャーシにメイン回路基板及び電源部を取り付けた状態を示す平面図である。図１０は、図９に示すシャーシにＤＶＤ−ＲＷユニットを取り付けるための支持板を取り付けた状態を示す平面図である。図１１は、図１０に示すシャーシにＤＶＤ−ＲＷユニット及び操作基板を取り付けた状態を示している。図１２は図１１に示すシャーシを備えるＤＶＤ−ＲＷ一体型ＴＶの正面図であり、ボタンカバーを開放した状態を示している。
【００１７】
まず、ＤＶＤ／ＶＴＲ一体型ＴＶの構成について、図１〜７に基づいて説明する。１０はＤＶＤ／ＶＴＲ一体型ＴＶである。１１はＤＶＤ／ＶＴＲ一体型ＴＶの外観を構成するキャビネットであり、１１１は後述の外部インターフェースを遮蔽するためのパネルカバーである。１２はシャーシであり、各種部品を取り付けるための取付孔１２ａ〜１２ｊが形成されている。１３は電源部取付板であり、１４は後述のＤＶＤユニットとＶＴＲユニットが相互干渉することを防ぐための隔離板である。１５はＤＶＤユニットを載置するためのＤＶＤユニット支持板である。１６は後述のメイン回路基板と電気的に接続し、ＤＶＤ／ＶＴＲ一体型ＴＶ１０の動作の操作を行うための操作基板である。１６ａは操作基板に一体的に組みつけられる操作ボタン等の外部インターフェースである。１７はメイン回路基板であり、１６ａと同様の操作ボタンや外部入力用の端子等からなる外部インターフェース１７ａが一体的に組みつけられている。１８はＤＶＤユニットであり、１９は電源部である。１２ｇ１、１２ｈ１、１２ｊ１はＶＴＲユニット取付脚部である。１１０はＶＴＲユニットであり、前述のＶＴＲユニット取付脚部１２ｇ１、１２ｈ１、１２ｊ１により３点支持される。
【００１８】
次にＤＶＤ−ＲＷ一体型ＴＶの構成について、図８〜１２に基づいて説明する。前述のＤＶＤ／ＶＴＲ一体型ＴＶと同一部分には同一符号を付し、重複する部分の説明を省略し、異なる部分についてのみ説明する。２０はＤＶＤ−ＲＷ一体型ＴＶである。２１はＤＶＤ−ＲＷ一体型ＴＶの外観を構成するキャビネットであり、２１１は後述の外部インターフェースを遮蔽するためのパネルカバーである。２５は後述のＤＶＤ−ＲＷユニットを載置するためのＤＶＤ−ＲＷユニット支持板である。２６は操作基板１６をシャーシ１２に取り付けるための操作基板支持部である。２８はＤＶＤ−ＲＷユニットである。
【００１９】
次に、操作部動作切替手段による操作部の動作切替の方法について、図１３に基づいて説明する。図１３は外部インターフェース部の部分拡大平面図であり、（ａ）は操作基板に操作部動作切替手段を取り付けた状態を、（ｂ）は操作基板に操作部動作切替手段を取り外した状態を、（ｃ）はメイン回路基板に操作部動作切替手段を取り付けた状態を、（ｄ）はメイン回路基板に操作部動作切替手段を取り外した状態をそれぞれ示している。３０は、操作部動作切替手段たる外部インターフェース切替用抵抗であり、これにより外部インターフェース１６ａ及び１７ａを操作した際の動作をＤＶＤ／ＶＴＲ一体型ＴＶ１０用とＤＶＤ−ＲＷ一体型ＴＶ２０用とで切り替えることができる。例えば、図１３（ａ）に示すように、操作基板１６に外部インターフェース切替用抵抗３０を所定の位置に取り付けることにより、外部インターフェース１６ａをＤＶＤ／ＶＴＲ一体型ＴＶ１０向けの動作とすることができ、（ｂ）のように、操作基板１６に外部インターフェース切替用抵抗３０を所定の位置に取り付けないことにより、外部インターフェース１６ａをＤＶＤ−ＲＷ一体型ＴＶ２０向けの動作に切り替えることができる。同様に図１３（ｃ）及び（ｄ）のように、外部インターフェース１７ａは、メイン基板１７の所定の位置に外部インターフェース切替用抵抗３０を取り付けることによりＤＶＤ／ＶＴＲ一体型ＴＶ１０向けの動作とし、外部インターフェース切替用抵抗３０を取り付けないことによりＤＶＤ−ＲＷ一体型ＴＶ２０向けの動作と切り替えることが可能である。
【００２０】
以上のように構成されるＤＶＤ／ＶＴＲ一体型ＴＶ１０において、隔離板１４を取り付ける取付孔１２ｅ及び１２ｆ、及びＶＴＲユニット１１０を３点支持するＶＴＲユニット取付脚部の内の１２ｇ１及び１２ｈ１により、ＤＶＤ−ＲＷユニット支持板２５を取り付け可能に位置決めすることにより、シャーシ１２や操作基板１６、メイン回路基板１７、電源部１９の構成を変更することなくＤＶＤ−ＲＷ一体型ＴＶ２０として構成することが可能である。また、ジャンパスイッチ１７ｂにより、外部インターフェース１６ａ及び１７ａによってユーザが操作した際の動作を、ＤＶＤ／ＶＴＲ一体型ＴＶ１０及びＤＶＤ−ＲＷ一体型ＴＶ２０それぞれのモデルにおいて切り替えることが可能なため、操作基板１６やメイン回路基板１７を、ＤＶＤ／ＶＴＲ一体型ＴＶ１０及びＤＶＤ−ＲＷ一体型ＴＶ２０でそれぞれ固有のものを必要とせずに、ボタンの用途や、使用可及び不可というような変更を行うことができる。即ち、図１及び図８を比較することから分かるように、外部インターフェース１６ａ及び１７ａがキャビネット１１外部に露出する露出孔と、各ユニットを取り付けるための支持板以外の部品の共通化を図ることができる。これにより、ＤＶＤ／ＶＴＲ一体型ＴＶ１０及びＤＶＤ−ＲＷ一体型ＴＶ２０の製造の際、ＤＶＤユニット１８及びＶＴＲユニット１１０の取り付け、若しくはＤＶＤ−ＲＷユニット２８の取り付けに掛かる部材と工程が異なるのみで、その他の部品及び部材の製造を１本化することが可能となり、それぞれのモデルを別々の製造ラインにより製造する場合と比較し、格段に製造コストの低下と製造工程の簡略化を図ることができる。
【００２１】
以上、本発明の実施例を詳述したが、本発明は前記実施例に限定されるものではなく、本発明の要旨の範囲内で種々の変形実施が可能である。例えば、取り付けるユニットを、ＤＶＤユニット１８及びＶＴＲユニット１１０、ＤＶＤ−ＲＷユニット２８としたが、これに限定せずに、記録媒体の記録再生若しくは再生をすることが可能なユニットであれば、他の記録媒体を用いたユニットとしても何ら問題ない。また、記録再生装置を、表示装置一体型記録再生装置である、ＤＶＤ／ＶＴＲ一体型ＴＶ１０及びＤＶＤ−ＲＷ一体型ＴＶ２０としたが、これに限定せず、表示装置と一体ではない記録再生装置としても、何ら問題は無い。また、操作部動作切替手段を、外部インターフェース切替用抵抗を取り付けることとしたが、これを、ジャンパスイッチを用いた回路の短絡若しくは開放の何れかによって切り替えを行うとしてもよい。
【図面の簡単な説明】
【００２２】
【図１】本発明の実施例を示す、ＤＶＤ／ＶＴＲ一体型ＴＶの外観を示す平面図である。
【図２】同上、ＤＶＤ／ＶＴＲ一体型ＴＶのシャーシを示す平面図である
【図３】同上、図２に示すシャーシに、隔離板を取り付けたシャーシを示す平面図である。
【図４】同上、図３に示すシャーシに、操作基板及びＤＶＤユニット支持板を取り付けた状態を示す平面図である。
【図５】同上、図４に示すシャーシに、メイン回路基板・電源基板・ＤＶＤユニットを取り付けた状態を示す平面図である。
【図６】同上、図５に示すシャーシに、ＶＴＲユニットを取り付けた状態を示す平面図である。
【図７】同上、図１に示すＤＶＤ／ＶＴＲ一体型ＴＶのパネルカバーを開放した状態を示す正面図である。
【図８】同上、ＤＶＤ−ＲＷ一体型ＴＶの外観を示す正面図である。
【図９】同上、ＤＶＤ−ＲＷ一体型ＴＶのシャーシにメイン回路基板・電源部を取り付けた状態を示す平面図である。
【図１０】同上、図９に示すシャーシに、ＤＶＤ−ＲＷユニット支持板を取り付けた状態を示す平面図である。
【図１１】同上、図１０に示すシャーシに、ＤＶＤ−ＲＷユニット及び操作基板を取り付けた状態を示す平面図である。
【図１２】同上、図８に示すＤＶＤ−ＲＷ一体型ＴＶのパネルカバーを開放した状態を示す正面図である。
【図１３】同上、外部インターフェース部であり、（ａ）は操作基板に操作部動作切替手段を取り付けた状態を、（ｂ）は操作基板に操作部動作切替手段を取り外した状態を、（ｃ）はメイン回路基板に操作部動作切替手段を取り付けた状態を、（ｄ）はメイン回路基板に操作部動作切替手段を取り外した状態をそれぞれ示す部分拡大平面図である。
【符号の説明】
【００２３】
１０    ＤＶＤ／ＶＴＲ一体型ＴＶ（第１のモデル）
１２    シャーシ
１２ａ〜１２ｊ  取付孔
１７      メイン基板
１６ａ、１７ａ  外部インターフェース（操作部）
１８    ＤＶＤユニット（第１のユニット）
１９    電源部
１１０  ＶＴＲユニット（第２のユニット）
２０    ＤＶＤ−ＲＷ一体型ＴＶ（第２のモデル）
２８    ＤＶＤ−ＲＷユニット（第３のユニット）
３０    外部インターフェース切替用抵抗（操作部動作切替手段）
【図１】
2007323717.tif 000003
【図２】
2007323717.tif 000004
【図３】
2007323717.tif 000005
【図４】
2007323717.tif 000006
【図５】
2007323717.tif 000007
【図６】
2007323717.tif 000008
【図７】
2007323717.tif 000009
【図８】
2007323717.tif 000010
【図９】
2007323717.tif 000011
【図１０】
2007323717.tif 000012
【図１１】
2007323717.tif 000013
【図１２】
2007323717.tif 000014
【図１３】
2007323717.tif 000015